(57)【特許請求の範囲】
【請求項１】
ガス流通路が内部に形成された筒状のガス栓本体に、閉じ位置と開き位置との間で前記ガス栓本体の軸方向に移動自在なスライド弁と、前記ガス流通路のガス流通方向で前記スライド弁よりも上流側に配置された過流出防止弁と、前記ガス流通方向で前記スライド弁と前記過流出防止弁との間に配置されて、前記閉じ位置と前記開き位置との間での前記スライド弁の移動により前記過流出防止弁をリセットさせるリセット操作を行うリセット手段とが備えられているガス栓において、
前記ガス流通路は、上流側から順に、前記過流出防止弁、前記リセット手段、前記スライド弁を備えて、前記ガス栓本体の軸方向に沿う直線状に設けられ、
前記リセット手段は、前記ガス流通路の流路径方向の中央部から外径側に外れた偏心位置に配置された揺動軸周りに揺動自在な単一の揺動部材と、前記閉じ位置と前記開き位置との間での前記スライド弁の移動に伴って前記揺動部材を押圧揺動させる押圧部材とを備え、前記押圧部材にて前記揺動部材を押圧揺動させて前記リセット操作を行うように構成され、
前記揺動部材は、前記揺動軸周りで揺動する際に、その揺動端部が流路径方向の前記中央部を通過する状態で揺動し、
前記揺動部材は、直線形状で、その一端側端部を前記揺動軸に枢支されると共に、その他端側端部を前記過流出防止弁の被操作部に当接して前記リセット操作を行うリセット操作部位として構成されており、
前記押圧部材が前記揺動部材を押圧操作する押圧操作部位は、前記流路径方向で前記中央部より前記揺動軸側に配置されているガス栓。
【請求項２】
前記押圧部材は、前記スライド弁の上流側端部に連結する連結部を有すると共に、当該連結部から前記ガス流通路の上流側に延びる延設部を有し、当該延設部の上流側端部に前記押圧操作部位を有する請求項１に記載のガス栓。
【請求項３】
前記揺動部材は、前記スライド弁の閉じ位置から開き位置への移動の間及び開き位置から閉じ位置への移動の間の双方で、前記他端側端部を前記過流出防止弁の被操作部に当接させて前記リセット操作を行う請求項１又は２に記載のガス栓。
【請求項４】
前記スライド弁が、前記ガス栓本体に対するガス接続具の装着及び取り外しに伴って前記閉じ位置と前記開き位置との間で移動する請求項１〜３の何れか１項に記載のガス栓。
【請求項５】
前記スライド弁が、操作部に対する押圧操作に伴って前記閉じ位置と前記開き位置との間で移動する請求項１〜３の何れか１項に記載のガス栓。
【発明の詳細な説明】
【技術分野】
【０００１】
本発明は、ガス流通路が内部に形成された筒状のガス栓本体に、閉じ位置と開き位置との間で前記ガス栓本体の軸方向に移動自在なスライド弁と、前記ガス流通路のガス流通方向で前記スライド弁よりも上流側に配置された過流出防止弁と、前記ガス流通方向で前記スライド弁と前記過流出防止弁との間に配置されて、前記閉じ位置と前記開き位置との間での前記スライド弁の移動により前記過流出防止弁をリセットさせるリセット操作を行うリセット手段とが備えられているガス栓に関する。
【０００２】
上記のようなガス栓としてのガスコンセントは、ガス管が接続されたガス接続具をガス栓本体に装着することで、ガス接続具に備えられた押圧部にてスライド弁を閉じ位置からガス流通路の上流側の開き位置に押圧してガス流通路を開弁してガス接続具に接続されたガス器具へのガス供給を行う。スライド弁は、付勢部材により閉じ位置に復帰するように付勢されているので、ガス接続具をガス栓本体から取り外すことで、スライド弁に対する押圧部による押圧が解除されて、付勢部材の付勢力によりスライド弁が閉じ位置に復帰してガス器具へのガス供給が停止される。
【０００３】
このようなガス栓では、ガス接続具に接続されたガス管が破れる等により一定以上の流量のガスが流れることがあるので、このような場合に、ガス供給を停止する必要がある。そこで、従来、ガス流通路のガス流量が一定以上となると、その一定以上のガス流量の流動圧により、初期位置（ガス流通を許容する位置）からガス流通路を閉じる作動位置（ガス流通を阻止する位置）に移動する過流出防止弁が備えられている。
過流出防止弁が作動位置に移動することでガス流通を阻止しているが、ガス器具へのガス供給を再開させるためには、過流出防止弁を作動位置から初期位置に復帰させることが必要である。そこで、使用者によってガス接続具をガス栓本体から取り外すという動作が行われることで、過流出防止弁における被操作部をガス流通路の上流側へ押圧するリセット操作を行うリセット手段を備えており、リセット手段によるリセット操作によって過流出防止弁を作動位置から初期位置に復帰させるようにしている（例えば、特許文献１参照。）。
リセット手段は、ガス接続具のガス栓本体からの取り外しによりリセット操作を行うだけでなく、ガス接続具がガス栓本体に装着されている場合には、リセット操作を解除しておき、過流出防止弁の初期位置から作動位置への移動を許容しておくことが必要である。
【０００４】
特許文献１に記載のガス栓では、リセット手段が、ガス流通路のガス流通方向に直交する流路径方向に沿う軸心周りに揺動自在なＬ字状の第１レバーと第２レバーとを備えている。第１レバーは、ガス栓本体にガス接続具が装着された場合に、スライド弁の上流側端部に備えられた押し用突部によってガス流通路の上流側に押圧されて、第２レバーの揺動を規制する規制位置からガス流通路の上流側に揺動されて第２レバーの揺動を許容している。第２レバーは、作動位置に移動することでガス流通路の下流側に突出された過流出防止弁の軸部をガス流通路の上流側へ押圧する側に揺動するように付勢手段により付勢されている。ガス栓本体にガス接続具が装着されている場合には、第１レバーによって第２レバーの揺動を規制することで、過流出防止弁の軸部がガス流通路の下流側へ突出する突出代を確保して、過流出防止弁の軸部をガス流通路の上流側に押圧するリセット操作を解除している。このようにリセット操作を解除することで、過流出防止弁が初期位置から作動位置へ移動できることになる。ガス栓本体からガス接続具が取り外された場合には、押し用突部が第１レバーを押圧してガス流通路の上流側に揺動させることで第２レバーを付勢力により揺動させ、過流出防止弁の軸部をガス流通路の上流側に押圧するリセット操作を行い、過流出防止弁を作動位置から初期位置に復帰させている。
【０００５】
一方、上記のようなガス栓として、ガス栓本体へのガス接続具の装着とは関係なく、操作つまみ等の操作部に対する回転操作に伴って開閉弁である回動弁を回転させて開閉を行ってガスの供給及び停止を切り替える所謂回転式のガス栓（例えば、特許文献２を参照。）などが知られている。また、ガスコンロ等に内蔵されガス流入路とガス流出路との間の開閉を行ってガスの供給及び停止を切り替える開閉弁として、操作ボタン等の操作部に対する押圧操作に伴って開閉弁であるスライド弁をスライドさせて開閉を行う所謂プッシュプッシュ式の開閉弁（例えば、特許文献３を参照。）などが知られており、上記ガス栓についても、この開閉弁と同様にプッシュプッシュ式に構成することが望まれている。
【先行技術文献】
【特許文献】
【０００６】
【特許文献１】実開平３−６５０７１号公報
【特許文献２】実公平０２−０２１６６０号公報
【特許文献３】特開平０２−１５４９１８号公報
【発明の概要】
【発明が解決しようとする課題】
【０００７】
上記特許文献１に記載のガス栓では、リセット手段として、押し用突部、及び、付勢手段に加えて、第１レバーと第２レバーとの２つの揺動部材を設けなければならず、構成の複雑化及び部材点数の増加を招いている。
また、第１レバーについては、押し用突部にて押圧できるとともに、第２レバーの揺動を規制できる位置に配置しなければならない。第２レバーについても、第１レバーにて揺動が規制されるとともに、過流出防止弁の軸部をガス流通路の上流側に押圧できる位置に配置しなければならない。したがって、第１レバーと第２レバーの配置位置を精度よく調整しなければならず、リセット手段によるリセット操作及びリセット操作の解除を行い難いものとなっていた。
また、特許文献１に記載のガス栓においては、ガス流通路の軸心近傍に、第１レバー、第２レバー、及びリセット手段が設けられているため、ガス流通路において、充分な流路面積が確保し難い虞があった。
【０００８】
本発明は、かかる点に着目してなされたものであり、その目的は、リセット手段の構成の簡素化及び部材点数の減少を図り、リセット手段によるリセット操作及びリセット操作の解除を行うことができるガス栓を提供する点にある。
【課題を解決するための手段】
【０００９】
上記目的を達成するためのガス栓は、
ガス流通路が内部に形成された筒状のガス栓本体に、閉じ位置と開き位置との間で前記ガス栓本体の軸方向に移動自在なスライド弁と、前記ガス流通路のガス流通方向で前記スライド弁よりも上流側に配置された過流出防止弁と、前記ガス流通方向で前記スライド弁と前記過流出防止弁との間に配置されて、前記閉じ位置と前記開き位置との間での前記スライド弁の移動により前記過流出防止弁をリセットさせるリセット操作を行うリセット手段とが備えられているガス栓であって、その特徴構成は、
前記ガス流通路は、上流側から順に、前記過流出防止弁、前記リセット手段、前記スライド弁を備えて、前記ガス栓本体の軸方向に沿う直線状に設けられ、
前記リセット手段は、前記ガス流通路の流路径方向の中央部から外径側に外れた偏心位置に配置された揺動軸周りに揺動自在な単一の揺動部材と、前記閉じ位置と前記開き位置との間での前記スライド弁の移動に伴って前記揺動部材を押圧揺動させる押圧部材とを備え、前記押圧部材にて前記揺動部材を押圧揺動させて前記リセット操作を行うように構成され、
前記揺動部材は、前記揺動軸周りで揺動する際に、その揺動端部が流路径方向の前記中央部を通過する状態で揺動し、
前記揺動部材は、直線形状で、その一端側端部を前記揺動軸に枢支されると共に、その他端側端部を前記過流出防止弁の被操作部に当接して前記リセット操作を行うリセット操作部位として構成されており、
前記押圧部材が前記揺動部材を押圧操作する押圧操作部位は、前記流路径方向で前記中央部より前記揺動軸側に配置されているにある。
【００１０】
本特徴構成によれば、閉じ位置と開き位置との間でスライド弁が移動した場合に、そのスライド弁の移動に伴って押圧部材にて揺動部材が押圧揺動されるので、その揺動部材の揺動を利用してリセット操作及びそのリセット操作の解除を行うことができる。例えば、押圧部材にて押圧揺動する側と反対側に揺動部材が復帰するように付勢しておくことで、当該揺動部材が押圧部材にて押圧されて押圧揺動するとき、及び当該揺動部材への押圧が解除され付勢力により押圧揺動する側とは反対側へ揺動するときに、揺動部材にてリセット操作し、それ以外の状態のときには、リセット操作を解除することができる。
このように、本特徴構成によれば、スライド弁の移動に伴う押圧部材による揺動部材の押圧揺動を利用することで、単一の揺動部材と押圧部材を備えるだけで、リセット操作及びリセット操作の解除を行うことができる。
【００１１】
さらに、上記特徴構成によれば、押圧部材に押圧される揺動部材の揺動端部を、その揺動軸周りで揺動する際に、流路径方向の中央部を越えて揺動するように設けてあるから、当該揺動端部の流路径方向の中央部を越えた揺動により、通常流路径方向で中央部に設けられている過流出防止弁を適切にリセットすることができる。さらに、例えば、揺動部材を直線状等に構成することで、揺動端部をガス流通路の外径側へ移動させ、ガス流通路の軸心近郷（中央部の近傍）から揺動部材を離間させることで、ガス流通路の軸心近郷（中央部の近傍）において、充分な流通面積を確保することができる。
以上のことから、ガス栓本体の軸方向でのスライド弁の移動を利用してリセット操作及びリセット操作の解除を適切に行うことができるリセット手段を、単一の揺動部材と押圧部材にて構成することができ、リセット手段の構成の簡素化及び部材点数の減少を図り、リセット手段によるリセット操作及びリセット操作の解除を適切に行うことができる。
さらに、上記特徴構成によれば、押圧操作部位は、ガス流通路の流路径方向で中央部より揺動軸側に配置すればよいので、押圧操作部位を有する押圧部材も、ガス流通路の流路径方向で中央部よりも揺動軸側に配置して、ガス流通路の中央部に広いスペースを確保できる。これにより、ガスの流路面積を充分に確保でき、充分なガス流通量を維持できる。
さらに、上記特徴構成によれば、揺動部材は、その一端側端部が、ガス流通路の流路径方向で中央部から外径側へ外れた位置にある揺動軸に枢支されているので、その他端側端部を、上記揺動軸を回転中心として、ガス流通路の流路径方向で中央部から外れた外径側に移動させることができる。この状態では、揺動部材は、一端側端部及び他端側端部の双方をガス流通路の流路径方向で中央部から外れた外径側に位置させることができるから、例えば、一端側端部から他端側端部までを直線形状とすることで、その全体を外径側に位置させることができる。
揺動部材の全体をガス流通路の外径側に位置されせることで、ガス流通路において、充分な流路面積を確保することができ、ガス流通路での揺動部材によるガス流動の阻害を防止できる。
さらに、上記特徴構成によれば、ガス流通路は、過流出防止弁、リセット手段、スライド弁の全てを備えながら、ガス栓本体の軸方向に沿う直線状に設けられているので、ガス栓本体をコンパクトに構成することができながら、過流出防止弁とリセット手段とスライド弁とをガス栓本体の軸方向に隣接する状態で直線状に並べて配置することができる。したがって、過流出防止弁とリセット手段とスライド弁との位置関係を簡易なものとすることができ、スライド弁の移動を利用して過流出防止弁をリセットさせるリセット手段の構成の簡素化をより一層図ることができるとともに、リセット手段によるリセット操作及びリセット操作の解除についても適切に行うことができる。しかも、ガス栓本体を直線状とすることで、ガス栓を設置する場合に、ガス栓本体に接続するガス配管と同軸にガス栓を設置することが可能となり、設置スペースの縮小を図ることができる。更に、ガス栓本体を直線状とすることで、ガス栓を壁内に埋め込む形態や壁を貫通する形態にて設置する場合に、壁に形成する開口部の面積を小さくすることができる。
【００１４】
本発明のガス栓の更なる特徴構成は、
前記押圧部材は、前記スライド弁の上流側端部に連結する連結部を有すると共に、当該連結部から前記ガス流通路の上流側に延びる延設部を有し、当該延設部の上流側端部に前記押圧操作部位を有する点にある。
【００１５】
上記特徴構成によれば、押圧部材は、その連結部にてスライド弁の上流側端部に連結するので、その延設部の上流側端部の押圧操作部位を、スライド弁の閉じ位置と開き位置との間の移動に連動させる状態で移動させることができ、それに伴って、リセット操作及びリセット解除操作を実行することができる。
【００１８】
本発明のガス栓の更なる特徴構成は、
前記揺動部材は、前記スライド弁の閉じ位置から開き位置への移動の間及び開き位置から閉じ位置への移動の間の双方で、前記他端側端部を前記過流出防止弁の被操作部に当接させて前記リセット操作を行う点にある。
【００１９】
上記特徴構成によれば、揺動部材は、スライド弁の閉じ位置から開き位置への移動の間又は開き位置から閉じ位置への移動の間の双方で、リセット操作を実行可能に構成されているので、何れか一方の移動によりリセット操作を実行するもの、又は閉じ位置にてリセット操作を実行するもの等に比べて、ガス栓の設計の自由度を高めることができる。
【００２２】
本発明のガス栓の更なる特徴構成は、
前記スライド弁が、前記ガス栓本体に対するガス接続具の装着及び取り外しに伴って前記閉じ位置と前記開き位置との間で移動する点にある。
【００２３】
即ち、本発明に係るガス栓は、スライド弁が前記ガス栓本体に対するガス接続具の装着及び取り外しに伴って前記閉じ位置と前記開き位置との間で移動するようにして、所謂ガスコンセントとして構成できる。
【００２４】
本発明のガス栓の更なる特徴構成は、
前記スライド弁が、操作部に対する押圧操作に伴って前記閉じ位置と前記開き位置との間で移動する点にある。
【００２５】
このように本発明のガス栓は、スライド弁が操作部に対する押圧操作に伴って前記閉じ位置と前記開き位置との間で移動するようにして、所謂プッシュプッシュ式のガスコックとして構成することができる。
【図面の簡単な説明】
【００２６】
【図１】第１実施形態におけるガス接続具をガス栓本体から取り外している状態でのガス接続具とガス栓との断面図
【図２】第１実施形態におけるガス接続具をガス栓本体に装着している状態でのガス接続具とガス栓との断面図
【図３】第１実施形態におけるガス栓の動きを示す断面図
【図４】別実施形態におけるガス栓の断面図
【図５】参考形態のガス栓の開栓時の状態を示す側断面図
【図６】参考形態のガス栓のスライド弁及び操作機構部を示す分解斜視図
【図７】参考形態のガス栓の過流出防止弁の作動時の状態を示す側断面図
【図８】参考形態のガス栓の閉栓動作途中の状態を示す側断面図
【図９】参考形態のガス栓の閉栓時の状態を示す側断面図
【図１０】参考形態における閉栓動作時のガイド溝におけるガイドピンの位置の遷移状態を説明する説明図
【図１１】参考形態における開栓動作時のガイド溝におけるガイドピンの位置の遷移状態を説明する説明図
【発明を実施するための形態】
【００２７】
本発明に係るガス栓の実施形態を図面に基づいて説明する。
＜第１実施形態＞
この第１実施形態のガス栓は、図１及び図２に示すように、ガス流通路１が内部に形成された円筒状のガス栓本体２を備えており、そのガス栓本体２にガス接続具１００を装着することでガス流通路１でのガス流通によりガス接続具１００に接続されたガス器具へのガス供給を行い、ガス栓本体２からガス接続具１００を取り外すことでガス流通路１でのガス流通を停止してガス器具へのガス供給を停止する、所謂ガスコンセントとして構成されている。図１は、ガス接続具１００をガス栓本体２から取り外している状態を示しており、図２は、ガス接続具１００をガス栓本体２に装着している状態を示している。
【００２８】
ガス栓本体２には、ガス流通路１を開閉自在なスライド弁Ｇと、ガス流通路１でのガス流量が一定以上の過流量となった場合にガス流通を阻止する過流出防止弁Ｈ２と、ガス接続具１００のガス栓本体２からの取り外しが行われた場合に過流出防止弁Ｈ２をリセットさせるリセット操作を行うリセット手段Ｒとが備えられている。ここで、リセット操作は、過流出防止弁Ｈ２における被操作部材Ｈ３をガス流通路１の上流側へ押圧する操作となっている。
【００２９】
ガス流通路１は、その流路断面を円形状とし、ガス栓本体２の軸方向（図１及び図２で矢印Ｘに沿う方向）に沿う直線状に設けられており、ガス栓本体２の軸方向とガス流通路１のガス流通方向が同一方向となっている。ガス流通路１は、流路径が変更された複数の流路部位１ａ〜１ｇから構成されており、ガス流通方向の上流側（図１及び図２で矢印Ｘの先端側）から順に、過流出防止弁Ｈ２を備えた過流出防止機構Ｈ、リセット手段Ｒ、スライド弁Ｇが備えられている。複数の流路部位として、ガス流通方向の上流側から順に、第１流路部位１ａ、第２流路部位１ｂ、第３流路部位１ｃ、第４流路部位１ｄ、第５流路部位１ｅ、第６流路部位１ｆ、第７流路部位１ｇが備えられている。第１流路部位１ａは、ガス流入口（図示省略）に連通されており、第２流路部位１ｂは、第１流路部位１ａよりも流路径が小さく形成されており、過流出防止機構Ｈが配置されている。第３流路部位１ｃは、第２流路部位１ｂよりも流路径が大きく形成されており、リセット手段Ｒが配置されている。第４流路部位１ｄは、第３流路部位１ｃよりも流路径が大きく形成されており、第５流路部位１ｅは、第３流路部位１ｃよりも流路径が小さく形成されている。第６流路部位１ｆは、第５流路部位１ｅよりも流路径が小さく形成されており、第７流路部位１ｇは、上流側よりも下流側の方が流路径を小さくする傾斜状に形成されており、ガス栓本体２の先端部に形成されたガス流出口３に連通されている。
尚、ガス栓本体２は、第５流路部位１ｅと第６流路部位１ｆとの間で、分離可能に構成されている。これにより、例えば、比較的流路径の狭い第６流路部位１ｆ及び第７流路部位１ｇを取り外した状態として、ガス栓本体２の内部にて、過流出防止機構Ｈ及びリセット手段Ｒに異物が付着したときに、その異物を取り除く操作等を容易に実行できる。
【００３０】
スライド弁Ｇは、ガス流通路１における第６流路部位１ｆを閉弁自在な第１弁体Ｇ１と、ガス流通路１における第７流路部位１ｇを閉弁自在な第２弁体Ｇ２とを備えている。
第１弁体Ｇ１は、第６流路部位１ｆと第５流路部位１ｅとに亘ってガス栓本体２の軸方向に沿って移動自在に設けられている。第１弁体Ｇ１の上流側の部位の外径が第６流路部位１ｆの流路径と同一となっており、第１弁体Ｇ１が着座する弁座部が第６流路部位１ｆの内壁に設けられたシール部材Ｇ１ａにて構成されている。第１弁体Ｇ１は、第６流路部位１ｆに移動した場合に第６流路部位１ｆを閉じる閉じ位置に位置し、第５流路部位１ｅに移動した場合にガス流通を許容する開き位置に位置する。第１弁体Ｇ１は、第１付勢部材Ｆ１によって閉じ位置に復帰するように付勢されており、ガス接続具１００がガス栓本体２から取り外されている場合には、閉じ位置に位置して第６流路部位１ｆを閉弁している。
【００３１】
第２弁体Ｇ２は、第６流路部位１ｆと第７流路部位１ｇとに亘ってガス栓本体２の軸方向に沿って移動自在に設けられている。第２弁体Ｇ２の下流側端部部位の外径が第７流路部位１ｇの傾斜部位の流路径と同一となっており、第２弁体Ｇ２が着座する弁座部が第７流路部位１ｇの傾斜部位にて構成されている。第２弁体Ｇ２は、第７流路部位１ｇに移動した場合に第７流路部位１ｇを閉じる閉じ位置に位置し、第６流路部位１ｆに移動した場合にガス流通を許容する開き位置に位置する。第２弁体Ｇ２は、第２付勢部材Ｆ２によって閉じ位置に復帰するように付勢されており、ガス接続具１００がガス栓本体２から取り外されている場合には、閉じ位置に位置して第７流路部位１ｇを閉弁している。
このようにして、スライド弁Ｇを構成する第１弁体Ｇ１と第２弁体Ｇ２の両者は、ガス栓本体２の軸方向に沿って閉じ位置と開き位置との間で移動自在で、ガス流通路１を閉じる閉じ位置に復帰するように付勢されている。
【００３２】
ガス栓本体２に対して装着及び取り外し自在なガス接続具１００について説明する。このガス接続具１００は、既に公知の構成であるので、詳細な説明は省略して簡単に説明する。
ガス接続具１００は、第１コイルバネ１０１により前方側（図１及び図２で矢印Ｘの先端側）に付勢される突出部材１０２と、ロック用ボール１０３と、ロック用ボール１０３の位置を径方向の内側から規制するとともに、ガス栓本体２の先端部に当接して押圧されて引退する内径部材１０４と、ガス栓本体２に装着される際にスライド弁Ｇを押圧する棒状の押圧部１０５とを備えている。
【００３３】
ガス接続具１００をガス栓本体２に装着する場合には、図２に示すように、ガス栓本体２の先端部が内径部材１０４に当接して内径部材１０４を第２コイルバネ１０６の付勢力に抗して引退させる。内径部材１０４の引退によりロック用ボール１０３が径方向の内側に移動して、ガス栓本体２に形成された嵌込溝２ａにロック用ボール１０３が嵌り込んで、突出部材１０２が第１コイルバネ１０１の付勢力により前方側（図２で矢印Ｘの先端側）に突出する。このように、ガス接続具１００のロック用ボール１０３がガス栓本体２の嵌込溝２ａに嵌り込むことで、ガス接続具１００がガス栓本体２に外嵌装着される。ガス接続具１００がガス栓本体２に装着される際に、ガス接続具１００の押圧部１０５にてスライド弁Ｇが押圧される。この押圧部１０５によるスライド弁Ｇに対する押圧によって、第１弁体Ｇ１と第２弁体Ｇ２の両者が、ガス栓本体２の軸方向に沿ってガス流通路１の上流側（図２で矢印Ｘの先端側）に移動して、閉じ位置から開き位置に移動することになり、ガス流通路１が開弁されてガス器具へのガス供給が行われる。
【００３４】
ガス接続具１００をガス栓本体２から取り外す場合には、突出部材１０２を第１コイルバネ１０１の付勢力に抗して押込操作することで、嵌込溝２ａへのロック用ボール１０３の嵌り込みが解除されるので、ガス接続具１００をガス栓本体２から取り外すことができる。そして、ガス接続具１００をガス栓本体２から取り外すと、スライド弁Ｇに対する押圧部１０５による押圧が解除され、第１弁体Ｇ１と第２弁体Ｇ２の両者が、付勢部材Ｆ１，Ｆ２の付勢力によって、ガス栓本体２の軸方向に沿ってガス流通路１の下流側（図２で矢印Ｘの基端側）に移動して、開き位置から閉じ位置に復帰されてガス流通路１が閉弁される。
【００３５】
過流出防止機構Ｈは、ガス流通路１の第２流路部位１ｂに配置されており、内部にガスを流通する流路が形成された筒状部材Ｈ１を備えている。筒状部材Ｈ１の内部には、ガス流通を許容する初期位置（図３（ａ）（ｂ）に示す位置）とガス流通を阻止する作動位置（図３（ｃ）に示す位置）とにガス栓本体２の軸方向に移動自在な過流出防止弁Ｈ２と、リセット手段Ｒからリセット操作としてのガス流通路１の上流側への押圧操作を受ける被操作部材Ｈ３（被操作部に相当する）と、過流出防止弁Ｈ２をガス栓本体２の軸方向に移動自在に支持する支持部材Ｈ４とが備えられている。
【００３６】
過流出防止弁Ｈ２は、第３付勢部材Ｆ３によって、作動位置よりも上流側の初期位置に復帰するように付勢されており、当接部材Ｈ５に当接することで初期位置に位置保持されている。そして、過流出防止弁Ｈ２は、ガス流量が一定以上の過流量となると、そのガス流量の流動圧によって初期位置から作動位置に移動自在に備えられており、作動位置に移動した過流出防止弁Ｈ２が弁座部Ｈ６に着座してガス流通を阻止している。
【００３７】
支持部材Ｈ４は、その内部がガス栓本体２の軸方向に貫通する円筒状に形成されている。支持部材Ｈ４の上流側部位は、過流出防止弁Ｈ２の軸部Ｈ２ａに外嵌して、ガス栓本体２の軸方向に移動自在に過流出防止弁Ｈ２を支持している。
【００３８】
被操作部材Ｈ３は、その外周側部位Ｈ３ｄが第２流路部位１ｂの内壁部に沿って摺動自在に構成されている。被操作部材Ｈ３の下流側部位は、ガス流通路１の流路径方向の中央部に下流側に突出する頭部Ｈ３ｂが備えられた概略円錐状に形成されている。被操作部材Ｈ３には、上流側と下流側とを連通する連通部Ｈ３ｃが設けられており、当該連通部Ｈ３ｃを介して上流側から下流側へガスが流通可能に構成されている。被操作部材Ｈ３は、第４付勢部材Ｆ４によって下流側部位の頭部Ｈ３ｂが筒状部材Ｈ１からガス流通路１の下流側に突出する突出位置に復帰するように付勢されており、外周側部位Ｈ３ｄが第２流路部位１ｂの上流側端部に当接して突出位置に位置保持されている。
【００３９】
過流出防止弁Ｈ２と被操作部材Ｈ３とは、初期位置に位置する過流出防止弁Ｈ２と突出位置に位置する被操作部材Ｈ３との間に、初期位置から作動位置までの移動量に相当する間隔を隔てる状態で、過流出防止弁Ｈ２と被操作部材Ｈ３をガス栓本体２の軸方向に移動自在に配置されている。これにより、過流出防止機構Ｈは、突出位置に位置する被操作部材Ｈ３がガス流通路１の上流側へ押圧されるリセット操作が解除されている場合に、過流出防止弁Ｈ２の初期位置から作動位置への移動を許容している。
一方、一定以上のガス流量の流動圧によって過流出防止弁Ｈ２が作動位置に移動すると、作動位置に移動した過流出防止弁Ｈ２と突出位置に位置する被操作部材Ｈ３とが当接するようになっている。突出位置に位置する被操作部材Ｈ３がガス流通路１の上流側へ押圧されるリセット操作を受けた場合には、被操作部材Ｈ３と過流出防止弁Ｈ２との当接により被操作部材Ｈ３と過流出防止弁Ｈ２が一体的にガス流通路１の上流側へ移動することになり、過流出防止弁Ｈ２の弁座部Ｈ６への着座が解除されて、上流側からのガス圧が解除され、第３付勢部材Ｆ３の付勢力によって過流出防止弁Ｈ２が初期位置に復帰される。このようにして、過流出防止機構Ｈは、突出位置に位置する被操作部材Ｈ３がガス流通路１の上流側へ押圧されるリセット操作を受けた場合に、過流出防止弁Ｈ２を初期位置に復帰させている。
【００４０】
リセット手段Ｒは、ガス接続具１００のガス栓本体２からの取り外しが行われた場合に、ガス栓本体２の軸方向でのスライド弁Ｇの開き位置から閉じ位置への移動に伴って、過流出防止弁Ｈ２を初期位置に復帰させるために（リセットさせるために）、被操作部材Ｈ３の頭部Ｈ３ｂをガス流通路１の上流側へ押圧するリセット操作を行うように構成されている。
【００４１】
リセット手段Ｒは、ガス流通路１の軸心Ｐ１（中央部に相当）から外径側に外れた偏心位置に配置された揺動軸Ｐ２周りに揺動自在な単一の揺動部材Ｒ１と、当該揺動部材Ｒ１を外径側の操作解除位置（図３（ｂ）に示す位置）から中央部側の操作解除位置（図３（ａ）に示す位置）へ揺動部材Ｒ１が復帰するように付勢する第５付勢部材Ｆ５と、閉じ位置から開き位置へのスライド弁Ｇの移動に伴って揺動部材Ｒ１を押圧揺動させる押圧部材Ｒ２とを備えている。
【００４２】
＜揺動部材＞
揺動部材Ｒ１は、図１及び図２に示すように、中央部側の操作解除位置（図３（ａ）に示す位置）と外径側の操作解除位置（図３（ｂ）に示す位置）との間の操作位置（図３（ｄ）に示す位置）にて、被操作部材Ｈ３を当接するリセット操作を実行可能に構成されている。揺動部材Ｒ１は、ガス栓本体２の軸心Ｐ１に沿う断面視で揺動自在に構成されており、その一端側端部Ｒ１ａを外径側に外れた偏心位置にある揺動軸Ｐ２に枢支されると共に、その他端側端部を過流出防止弁Ｈ２の被操作部材Ｈ３に当接してリセット操作を行うリセット操作部位Ｒ１ｂとして構成され、一端側端部Ｒ１ａからリセット操作部位Ｒ１ｂまでを、ガス栓本体２の軸心Ｐ１に沿う断面視で、直線形状としている。これにより、揺動部材Ｒ１が外径側の操作解除位置（図３（ｂ）に示す位置）へ位置している場合、ガス流通路１の流路面積を大きく確保している。
更に、揺動部材Ｒ１は、外径側の操作解除位置（図３（ｂ）に示す位置）と中央部側の操作解除位置（図３（ａ）に示す位置）との間で揺動する際に、揺動端部であるリセット操作部位Ｒ１ｂが、流路径方向（図１及び図２で直線Ｐ１に直交する方向）の中央部（図１及び図２で直線Ｐ１上）を通過する状態で揺動する。これにより、例えば、過流出防止弁Ｈ２の被操作部材Ｈ３を中央部に設けることで、外径側の操作解除位置（図３（ｂ）に示す位置）から中央部側の操作解除位置（図３（ａ）に示す位置）への揺動、中央部側の操作解除位置（図３（ａ）に示す位置）から外径側の操作解除位置（図３（ｂ）に示す位置）への揺動の双方にて、リセット操作部位Ｒ１ｂを操作位置（図３（ｄ）に示す位置）を通過させ、リセット操作部位Ｒ１ｂを被操作部材Ｈ３に当接させて、リセット操作を行うことができる。
【００４３】
＜押圧部材＞
押圧部材Ｒ２は、図１及び図２に示すように、スライド弁Ｇである第１弁体Ｇ１の上流側端部からガス流通路１の上流側に延びる延設部Ｒ２ｂを有する。
当該延設部Ｒ２ｂは、中空円筒形状を有しており、その中空円筒形状を有する部位はガス流通路１の第４流路部位１ｄの内壁に沿って摺動自在に構成されていると共に、その上流側端部が、ガス流通路１の流路径方向（図１及び図２で直線Ｐ１に直交する方向）で中央部（図１及び図２で直線Ｐ１上）より揺動軸Ｐ２側に、押圧操作部位Ｒ２ｃを有する。このように延設部Ｒ２ｂを構成することにより、押圧操作部位Ｒ２ｃにて良好に揺動部材Ｒ１を押圧できながらも、その中空円筒形状を有する部位をガス流通可能にして、十分なガス流通面積を確保できる。
【００４４】
以下、図３に基づいて、スライド弁Ｇ、過流出防止機構Ｈ、リセット手段Ｒの動きについて説明する。
図３（ａ）は、ガス接続具１００をガス栓本体２から取り外している状態を示している。図３（ｂ）は、ガス接続具１００をガス栓本体２に装着した状態を示している。図３（ｃ）は、ガス接続具１００をガス栓本体２に装着しているときに、過流出防止弁Ｈ２が初期位置から作動位置に移動した状態を示している。図３（ｄ）は、ガス接続具１００をガス栓本体２から取り外す途中又は取り付ける途中でリセット操作を行う状態を示している。
【００４５】
図３（ａ）に示すように、ガス接続具１００をガス栓本体２から取り外している場合には、スライド弁Ｇが閉じ位置に位置しており、ガス流通路１がスライド弁Ｇにて閉弁されている。このとき、揺動部材Ｒ１は、第５付勢部材Ｆ５にて付勢されて、中央部側の操作解除位置に復帰している。このとき、過流出防止弁Ｈ２は、初期位置に復帰された状態となっている。
【００４６】
図３（ｂ）に示すように、ガス接続具１００をガス栓本体２に装着すると、ガス接続具１００の押圧部１０５がスライド弁Ｇをガス流通路１の上流側に押圧して、スライド弁Ｇが閉じ位置から開き位置に移動してガス流通路１を開弁させる。このとき、スライド弁Ｇの移動に伴って押圧部材Ｒ２の押圧操作部位Ｒ２ｃが、揺動部材Ｒ１を中央部側の操作解除位置から外径側の操作解除位置（図３（ａ）に示す位置から図３（ｂ）に示す位置）へ押圧揺動させる。
【００４７】
図３（ｃ）に示すように、揺動部材Ｒ１が外径側の操作解除位置に位置している状態で、ガス流量が一定以上の過流量となると、そのガス流量の流動圧によって過流出防止弁Ｈ２がガス栓本体２の軸方向に沿ってガス流通路１の下流側に移動して、過流出防止弁Ｈ２が初期位置から作動位置へ移動する。これにより、過流出防止弁Ｈ２が作動位置に移動することでガス流通が阻止される。
【００４８】
図３（ｄ）に示すように、過流出防止弁Ｈ２が作動している状態（図３（ｃ）を参照）において、ガス接続具１００をガス栓本体２から取り外す操作（図３（ｃ）から図３（ａ）への操作）を行うと、ガス接続具１００の押圧部１０５によるスライド弁Ｇに対するガス流通路１の上流側への押圧が解除されて、第１付勢部材Ｆ１及び第２付勢部材Ｆ２の付勢力によってスライド弁Ｇがガス栓本体２の軸方向に沿って開き位置から閉じ位置に移動する。このとき、スライド弁Ｇの移動に伴って押圧部材Ｒ２が揺動部材Ｒ１から離れ、揺動部材Ｒ１に対する押圧部材Ｒ２による押圧揺動が解除されて、第５付勢部材Ｆ５の付勢力によって、揺動部材Ｒ１が外径側の操作解除位置（図３（ｂ）に示す位置）から操作位置（図３（ｄ）に示す位置）に復帰される。揺動部材Ｒ１が操作位置に復帰すると、揺動部材Ｒ１のリセット操作部位Ｒ１ｂが、操作位置（図３（ｄ）に示す位置）にて、被操作部材Ｈ３の頭部Ｈ３ｂをガス流通路１の上流側へ押圧するリセット操作が行われて、図３（ａ）に示すように、過流出防止弁Ｈ２が初期位置に復帰される。
尚、当該第１実施形態にあっては、形式上は、ガス接続具１００をガス栓本体２に取り付ける操作（図３（ｂ）から図３（ａ）への操作）によっても、揺動部材Ｒ１のリセット操作部位Ｒ１ｂが、被操作部材Ｈ３の頭部Ｈ３ｂをガス流通路１の上流側へ押圧するリセット操作が行われる。
【００４９】
＜参考形態＞
これまで説明してきた実施の形態では、本発明に係るガス栓を、ガス栓本体２に対するガス接続具１００の装着及び取り外しに伴ってスライド弁Ｇを閉じ位置と開き位置との間
で移動させてガス器具へのガスの供給と停止との切り替えを行う所謂ガスコンセントとして構成したが、以下に、参考形態に係るガス栓を、操作部に対する手動操作に伴ってスライド弁を閉じ位置と開き位置との間で移動させてガス器具へのガスの供給と停止との切り替えを行う所謂つまみ付きガス栓として構成した実施形態について、図５〜図１１に基づいて説明する。尚、これまで説明してきた実施形態と同様の構成については、説明を割愛する場合がある。
【００５０】
参考形態のつまみ付きガス栓として構成されたガス栓は、図５及び図６に示すように、弁収容部５と、当該弁収容部５に対して夫々が開口するガス流入路１Ａ及びガス流出路１Ｂが、内部に形成されたガス栓本体２と、弁収容部５に収容され、ガス流入路１Ａとガス流出路１Ｂとの間の開閉を行う弁機構部Ａと、操作部１１に対する操作に伴って弁機構部Ａを開閉させる操作機構部Ｂとを備えている。
以下、ガス栓本体２、弁機構部Ａ、及び操作機構部Ｂの詳細構成について、順次説明する。
【００５１】
〔ガス栓本体〕
ガス流入路１Ａ及びガス流出路１Ｂの夫々は、互いの軸線Ｘ、Ｙを直角に交差する状態でガス栓本体２の内部に配置された円形断面を有する流路である。具体的には、ガス流入路１Ａの軸線Ｘを上下方向に配置すると共に、ガス流出路１Ｂの軸線Ｙを横向きに配置することで、参考形態のガス栓は所謂Ｌ型のガス栓として構成されている。このように構成されたＬ型のガス栓は、下から上に向けてガス栓本体２に流入したガスｇを横向きに吐出して、側方に配置されたガス機器（図示せず）等に供給する。尚、参考形態においてガス栓を上記Ｌ型のガス栓として構成するのではなく、例えば、ガス流出路１Ｂを斜め下向きに設けるなど、ガス流入路１Ａとガス流出路１Ｂとの交差角度は適宜改変可能である。
また、弁収容部５は、ガス流入路１Ａの上方延長上にガス栓本体２の内部に形成された円形断面を有する空間であり、弁収容部５の下方にはガス流入路１Ａが開口し、弁収容部５の側方にはガス流出路１Ｂが開口することになる。
【００５２】
〔弁機構部〕
ガス流入路１Ａ及びガス流出路１Ｂの何れか一方の特定ガス流通路をガス流入路１Ａとし、同特定ガス流通路の軸線である特定軸線をガス流入路１Ａの軸線Ｘとすると、弁機構部Ａは、当該特定ガス流通路であるガス流入路１Ａの弁収容部５に対する開口部１Ａａに形成された弁座部６と、同特定軸線である軸線Ｘに沿ってスライドして弁座部６に対して着座して当該開口部１Ａａを閉塞する閉じ位置と、軸線Ｘに沿ってスライドして弁座部６に対して離間して当該開口部１Ａａを開放する開き位置との間で変位するスライド弁Ｇ’とを有して構成されている。
即ち、スライド弁Ｇ’は、上下方向に配置されたガス流入路１Ａの軸線Ｘに沿って、上下方向にスライドする。そして、そのスライド範囲の下端位置が、スライド弁Ｇ’が弁座部６に着座して開口部１Ａａを閉塞する閉じ位置であり、同範囲の上端位置が、スライド弁Ｇ’が弁座部６に対して離間して当該開口部１Ａａを開放する開き位置となる。よって、参考形態において、閉じ位置側とは下方側を示し、開き位置側とは上方側を示すことになる。
尚、図８及び図９にはスライド弁Ｇ’が閉じ位置にある状態が示されており、図５及び図７にはスライド弁Ｇ’が開き位置にある状態が示されている。
【００５３】
〔操作機構部〕
操作機構部Ｂは、操作者による操作部１１に対する下向きの押圧操作をスライド弁Ｇ’に伝達させて当該スライド弁Ｇ’と共にスライド可能なスライド部Ｃと、スライド部Ｃを軸線Ｘに沿って閉じ位置側から開き位置側に向かう上向きに付勢する軸線付勢手段Ｄと、スライド部Ｃのスライドをガイドするガイド部２０とからなる。
操作部１１は、ガス流入路１Ａの軸線Ｘと同軸上に配置されガス栓本体２の上部を覆う逆カップ状の操作ボタン１０の上底部の上面として設けられている。
また、操作ボタン１０は、軸線Ｘに沿って上下方向にスライド可能に設けられており、更に操作ボタン１０の上底部の下面とガス栓本体２の上面との間には、ガス栓本体２に対し操作ボタン１０を上向きに付勢するコイルバネ１３が介挿されている。
尚、このコイルバネ１３は、巻線部分が隣接間において互いに離間している通常のコイルバネが利用されており、軸線Ｘに沿って圧縮力を受けることで同軸線Ｘに沿って膨張力を発生する。
【００５４】
スライド部Ｃは、軸線Ｘ周りに回転自在に設けられたガイドピン１８と、当該ガイドピン１８を軸線Ｘ周りの方向に付勢する回転付勢手段Ｅとを有して構成されている。
ガイドピン１８は、軸線Ｘと同軸上に配置され当該軸線Ｘに沿ってスライド可能な円柱状の軸部材１７の外表面において、軸部材１７の円形断面の径外方向に向けて突出形成されている。
一方、回転付勢手段Ｅは、操作ボタン１０における上底部の下面に一端部が固定され、上記軸部材１７の上面に他端部が固定されて、ガス流入路１Ａの軸線Ｘと同軸上に配置されたねじりコイルバネ１５で構成されている。
尚、このねじりコイルバネ１５は、巻線部分が隣接間において互いに密着しているコイルバネであり、ある回転方向にねじりモーメントを受けることで当該回転方向とは逆の回転方向（図５における右方向）に反発力を発生する。更に、かかるねじりコイルバネ１５は、巻線部分が隣接間において互いに密着していることで、一端側から受けた操作部１１の軸線Ｘに沿った下方向の押圧力を、他端側の軸部材１７に伝達することができる。
ねじりコイルバネ１５の両端部には、突起部１６が設けられており、突起部１６を含む巻線部分が、操作ボタン１０における上底部の下面に形成された溝部１２、及び軸部材１７の上面に形成された溝部１９に嵌め込まれることで、ねじりコイルバネ１５の両端が操作ボタン１０及び軸部材１７に固定されている。
【００５５】
軸線付勢手段Ｄは、巻線部分が隣接間において互いに離間している通常のコイルバネ２４からなり、軸線Ｘに沿って圧縮力を受けることで同軸線Ｘに沿って膨張力を発生する。
このコイルバネ２４は、スライド弁Ｇ’の下面と、弁収容部５の下方に設けられた筒状部材Ｈ１の上面との間に軸線Ｘに沿って圧縮状態で介挿されており、筒状部材Ｈ１の上面に対してスライド弁Ｇ’を上向きに付勢する形態で、スライド弁Ｇ’を含むスライド部Ｃを軸線Ｘに沿って閉じ位置側から開き位置側に向かう上向きに付勢する。
【００５６】
ガイド部２０は、ガイドピン１８が挿入されて当該ガイドピン１８の軸線Ｘ上のスライド及び軸線Ｘ周りの回転を誘導するガイド溝２２を外表面に形成した筒状部材２１で構成されている。
更に、このガイド溝２２には、操作部１１に押圧力を付加してスライド弁Ｇ’を開き位置から閉じ位置まで変位させるときにガイドピン１８をねじりコイルバネ１５の付勢力に抗して回転させる回転誘導部２２ａ、２２ｂと、続いて当該押圧力を抜いたときにスライド弁Ｇ’を閉じ位置に維持する状態でコイルバネ２４及びねじりコイルバネ１５により付勢されるガイドピン１８が係止する係止部２２ｃとが形成されている。
そして、このような構成により、参考形態のガス栓は、詳細については後述するが、操作部１１に対する一の押圧操作により閉栓動作が行われ、それに続く操作部１１に対する一の押圧操作により開栓動作が行われる所謂プッシュプッシュ式の開閉動作を実現している。
【００５７】
図１０（ａ）に示すように、このガイド溝２２において、回転誘導部２２ａ、２２ｂの閉じ位置側の端部が、ねじりコイルバネ１５の軸線Ｘ周りの付勢力に抗する回転方向において係止部２２ｃより回転奥側（例えば図１０（ａ）において左側）に位置する。回転誘導部２２ａ、２２ｂの閉じ位置側の端部から係止部２２ｃにかけて、ガイド溝２２がコイルバネ２４の軸線Ｘに沿った付勢方向側（即ち上方側）に膨出してなる膨出部２２ｄが形成されている。
よって、ガイドピン１８が、その膨出部２２ｄを介して、回転誘導部２２ａ、２２ｂの閉じ位置側の端部から係止部２２ｃに向けてガイド溝２２の上辺に沿って直接的に移動可能となり、係止部２２ｃに適切に係止されるようになる。尚、この膨出部２２ｄの形状等は適宜変更可能であり、また、膨出部２２ｄを省略して、閉じ位置側回転誘導部２２ｂの途中に上方に切れ込む係止部２２ｃを形成し、閉じ位置側の端部にガイドピン１８がある状態で操作部１１に付加する押圧力ｆ１１を取り除いたときに、ガイドピン１８が閉じ位置側回転誘導部２２ｂを若干逆行しその途中にある係止部２２ｃに係止されるように構成しても構わない。
【００５８】
この回転誘導部２２ａ、２２ｂは、軸線Ｘ周りの方向において係止部２２ｃよりも閉じ位置側に配置された閉じ位置側回転誘導部２２ｂと係止部２２ｃよりも開き位置側に配置された開き位置側回転誘導部２２ａとからなる。
更に、ガス流入路１Ａの軸線Ｘの直交面をＳとすると、閉じ位置側回転誘導部２２ｂにおける直交面Ｓに対するガイド溝２２のリード角αｂが、開き位置側回転誘導部２２ａの同リード角αａよりも小さく設定されている。
即ち、閉栓動作において、操作部１１に押圧力が付加され回転誘導部２２ａ、２２ｂに沿って誘導されるガイドピン１８は、開き位置側から係止部２２ｃが形成された位置までの間は開き位置側回転誘導部２２ａに沿って変位し、その係止部２２ｃが形成された位置からそれよりも回転奥側に形成された閉じ位置側の端部までの間は閉じ位置側回転誘導部２２ｂに沿って変位することになる。
そして、閉じ位置側回転誘導部２２ｂのリード角αｂが、開き位置側回転誘導部２２ａのリード角αａよりも小さいので、ねじりコイルバネ１５の付勢力に抗してガイドピン１８を閉じ位置側回転誘導部２２ｂに沿って変位させるために必要な操作部１１に対する押圧力は、開き位置側回転誘導部２２ａに沿って変位させるときよりも大きくなる。
以下、ガイド溝２２の詳細構成について、参考形態のガス栓の開閉動作時におけるガイド溝２２におけるガイドピン１８の遷移状態とあわせて、図１０及び図１１等に基づいて説明する。尚、図１０及び図１１において、ガイド溝２２は、筒状部材２１の外周面を平面に展開したときの状態で示されている。
【００５９】
〔閉栓動作時〕
先ず、参考形態のガス栓の閉栓動作時のガイド溝２２におけるガイドピン１８の位置の遷移状態について、図１０等に基づいて説明する。
スライド弁Ｇ’が開き位置にあって開栓しているとき（図７参照）には、ガイドピン１８は、図１０（ａ）に示すように、ガイド溝２２において回転誘導部２２ａの開き位置側の端部（図１０（ａ）において右上端部）に位置している。
次に、操作部１１に押圧力ｆ１１を付加し、その押圧力ｆ１１がスライド部Ｃに伝達されると、スライド部Ｃに設けられたガイドピン１８は、図１０（ｂ）に示すように、ガイド溝２２において開き位置側回転誘導部２２ａと閉じ位置側回転誘導部２２ｂとの境界部に移動する。
この移動の際に、ガイドピン１８は、コイルバネ２４による軸線Ｘに沿った閉じ位置側から開き位置側へ向かう上向きの付勢力ｆｄに抗して開き位置側から閉じ位置側へ向かう下向きに変位すると共に、ねじりコイルバネ１５による軸線Ｘ周りの方向への付勢力ｆｅに抗して回転することになる。
即ち、開き位置側回転誘導部２２ａと閉じ位置側回転誘導部２２ｂとの境界部に位置するガイドピン１８には、図１０（ｂ）において、上向きの付勢力ｆｄと右向きの付勢力ｆｅとが付加された状態となっている。
【００６０】
更に、操作部１１に比較的大きい押圧力ｆ１１を付加すると、ガイドピン１８は、図１０（ｃ）に示すように、ガイド溝２２において閉じ位置側回転誘導部２２ｂの回転奥側（図１０（ｃ）の左側）の端部に移動し、それに伴ってスライド弁Ｇ’は閉じ位置（図８参照）に変位する。
この移動の際においても、ガイドピン１８は、コイルバネ２４による上向きの付勢力ｆｄとねじりコイルバネ１５による右向きの付勢力ｆｅに抗して左下方向に移動することになり、移動後のガイドピン１８には、上向きの付勢力ｆｄと右向きの付勢力ｆｅとが付加された状態となっている。
尚、これら付勢力ｆｄ、ｆｅは、ガイドピン１８の左下方向への変位量が増加するに伴って増加するが、説明を簡単にするためにそれらの符号は同じものを使用する。
【００６１】
次に、上記のように操作部１１に対して付加していた押圧力ｆ１１を取り除くと、図１０（ｄ）に示すように、コイルバネ２４による上向きの付勢力ｆｄとねじりコイルバネ１５による右向きの付勢力ｆｅによって、ガイドピン１８は、膨出部２２ｄに沿って右上方向にある係止部２２ｃに当接する位置まで移動する。
そして、係止部２２ｃのガイドピン１８が当接する壁面の角度が、付勢力ｆｄ、ｆｅの合力が付加されているガイドピン１８が回転誘導部２２ａ、２２ｂ側に変位することを防止する角度に設定されているので、当該ガイドピン１８の位置は係止部２２ｃに係止された状態で保たれることになり、結果、図９に示すように、スライド弁Ｇ’が閉じ位置で維持されて、閉栓動作が完了する。
【００６２】
〔開栓動作時〕
次に、参考形態のガス栓の開栓動作時のガイド溝２２におけるガイドピン１８の位置の遷移状態について、図１１等に基づいて説明する。
スライド弁Ｇ'が閉じ位置にあって閉栓しているとき（図９参照）には、ガイドピン１８は、図１１（ａ）に示すように、係止部２２ｃに係止される位置にある。
次に、操作部１１に比較的小さな押圧力ｆ１１'を付加し、その押圧力ｆ１１'がスライド部Ｃに伝達されると、スライド部Ｃに設けられたガイドピン１８は、図１１（ｂ）に示すように、付勢力ｆｄ、ｆｅに抗して左下向きに若干変位することで、係止部２２ｃにおける係止が解除された位置に変位する。
この際に、操作部１１に付加される押圧力ｆ１１'は、上述した閉栓動作時に付加した押圧力ｆ１１よりも小さなものとなっているため、ガイドピン１８は、例えば閉じ位置側回転誘導部２２ｂに沿って閉じ位置側に変位することはない。
更に、閉じ位置側回転誘導部２２ｂのリード角αｂが開き位置側回転誘導部２２ａのリード角αａよりも小さく、ねじりコイルバネ１５の付勢力ｆｅに抗してガイドピン１８を閉じ位置側回転誘導部２２ｂに沿って閉じ位置側へ変位させるためには比較的大きな押圧力が必要となるので、その押圧力よりも小さな押圧力ｆ１１'で操作部１１を押圧した場合には、ガイドピン１８が閉じ位置側回転誘導部２２ｂに沿って回転奥側に変位することはない。
【００６３】
次に、上記のように操作部１１に対し付加されていた押圧力ｆ１１’を取り除くと、図１１（ｃ）に示すように、コイルバネ２４による上向きの付勢力ｆｄとねじりコイルバネ１５による右向きの付勢力ｆｅによって、ガイドピン１８は、開き位置側回転誘導部２２ａに沿って右上方向に移動し、結果、図５に示すように、それに伴ってスライド弁Ｇ’が閉じ位置から開き位置まで変位して、開栓動作が完了する。
尚、参考形態では、ガイド溝２２の回転誘導部を開き位置側回転誘導部２２ａと閉じ位置側回転誘導部２２ｂとで構成したが、当該回転誘導部を一様のもので構成しても構わない。また、回転誘導部２２ａ、２２ｂのリード角αａ、αｂについては、一様のものとせずに、例えば開き位置側から閉じ位置側にかけて徐々に減少させるなど、適宜改変可能
である。
【００６４】
〔リセット手段〕
参考形態のガス栓は、一定以上の流量のガスｇが流れると当該ガス供給を遮断するために、図５に示すように、特定ガス流通路としてのガス流入路１Ａには、過流出防止弁Ｈ２を備えた過流出防止機構Ｈが設けられており、更に、閉じ位置と開き位置との間でのスライド弁Ｇ’の移動により過流出防止弁Ｈ２をリセットさせるリセット操作を行うリセット手段Ｒが設けられている。
ここで、過流出防止弁Ｈ２及びリセット手段Ｒの構成については、上記第１実施形態と同様の構成を採用しているため詳細な説明は割愛するが、スライド弁Ｇ’の下面から上流側へ延設される押圧部材Ｒ２が、スライド弁Ｇ’の移動に伴って揺動部材Ｒ１を押圧揺動させる形態でリセット操作が行われる。即ち、スライド弁Ｇの開き位置にあるときに過流出防止弁Ｈ２が作動位置に移動することでガス流通が阻止された状態（図７に示す状態）において、スライド弁Ｇが閉じ位置へ移動して押圧部材Ｒ２にて揺動部材Ｒ１が押圧揺動されて、中央部側の操作解除位置（図７に示す状態）から外径側の操作解除位置（図８に示す状態）へ移行すると、揺動部材Ｒ１は、その移行過程において、そのリセット操作部位Ｒ１ｂが被操作部材Ｈ３に当接して押圧操作する操作位置（図示せず）を経過する。
このとき、揺動部材Ｒ１は、そのリセット操作部位Ｒ１ｂにて被操作部材Ｈ３を押圧操作して、過流出防止弁Ｈ２の弁座部Ｈ６への着座が解除されて、第３付勢部材Ｆ３の付勢力によって過流出防止弁Ｈ２が初期位置に復帰される形態で、リセット操作が行われる。
【００６５】
＜別実施形態＞
（１）上記第１及び参考形態では、押圧部材Ｒ２は、スライド弁Ｇの第１弁体Ｇ１と一体成型されているものとしたが、別に別体としても構わない。
例えば、押圧部材Ｒ２は、スライド弁Ｇである第１弁体Ｇ１の上流側端部に連結する連結部を有すると共に、当該連結部からガス流通路１の上流側に延びる延設部Ｒ２ｂを有する構成としても構わない。
【００６６】
（２）上記第１及び参考形態では、揺動部材Ｒ１を、ガス栓本体２の軸心Ｐ１に沿う断面において、直線状に形成しているが、当該形状に限定されるものではなく、その他各種の形状を適応することができる。
【００６７】
（３）上記第１及び参考形態では、過流出防止機構Ｈが、過流出防止弁Ｈ２とは別に、被操作部材Ｈ３を備えているが、例えば、過流出防止弁Ｈ２が作動位置に移動した場合に過流出防止弁Ｈ２の軸部Ｈ２ａがガス流通路１の下流側に突出させるとともに、その突出した過流出防止弁Ｈ２の軸部Ｈ２ａを被操作部として、その過流出防止弁Ｈ２の軸部Ｈ２ａに対してリセット操作を行うようにすることもできる。
【００６８】
（４）上記第１実施形態では、ガス流通路１を構成する複数の流路部位の全てについてその中心軸を同一として、ガス流通路１を一直線状に設けているが、例えば、図４に示すように、ガス流通路１の上流側部位を構成する流路部位とガス流通路１の下流側部位を構成する流路部位とでその中心軸を流路径方向にずらした直線状のガス流通路１を形成することもできる。このように、ガス流通路１をガス栓本体２の軸方向に沿う直線状に設けるとは、上記第１実施形態の如く、一直線とするものに限らず、図４に示すように、流路径方向にずらした流路部位から構成されるものも含まれるものとする。そして、図４に示すものでも、上記第１実施形態と同様に、ガス栓本体２自体は直線状に設けることができ、ガス栓本体２をコンパクトに構成することができる。
【００６９】
（５）上記参考形態では、スライド弁Ｇの外面がガス流通路１の内面に着座してガス流通路１を閉止する例を示したが、例えば、ガス流通路１の内面にシール部材を設け、当該シール部材にスライド弁Ｇが着座する形態で、ガス流通路１を閉止するようにしても構わない。
【産業上の利用可能性】
【００７０】
本発明は、リセット手段の構成の簡素化及び部材点数の減少を図り、リセット手段によるリセット操作及びリセット操作の解除を行うことができる各種のガス栓に適応可能である。
【符号の説明】
【００７１】
１        ：ガス流通路
２        ：ガス栓本体
１１      ：操作部
１００    ：ガス接続具
Ｇ        ：スライド弁
Ｈ１      ：筒状部材
Ｈ２      ：過流出防止弁
Ｈ３      ：被操作部材
Ｐ１      ：軸心
Ｐ２      ：揺動軸
Ｒ        ：リセット手段
Ｒ１      ：揺動部材
Ｒ１ａ    ：一端側端部
Ｒ１ｂ    ：リセット操作部位
Ｒ２      ：押圧部材
Ｒ２ａ    ：連結部
Ｒ２ｂ    ：延設部
Ｒ２ｃ    ：押圧操作部位
ｇ        ：ガス
【図１】
0005889089.tif 000002
【図２】
0005889089.tif 000003
【図３】
0005889089.tif 000004
【図４】
0005889089.tif 000005
【図５】
0005889089.tif 000006
【図６】
0005889089.tif 000007
【図７】
0005889089.tif 000008
【図８】
0005889089.tif 000009
【図９】
0005889089.tif 000010
【図１０】
0005889089.tif 000011
【図１１】
0005889089.tif 000012